(57)【要約】一枚のシートを用いて形成することができ、完成したスタンドの形を長期間維持できる合理的、かつ、完成度のより高い写真立て類に用いるスタンドを提供する。写真や卓上カレンダーに代表されるカード状物を飾る写真立て類に用いて上記カード状物を配置する飾り枠を自立させるためのスタンドについて、飾り枠１１と一体化する部分２５ａを有するとともに、飾り枠に自立手段を提供するための部分２５ｂを有する、一枚のシートから成るスタンド本体と、スタンド本体自体に形成されたヒンジ部１７によって斜め後方へ曲げられ、上記自立手段を構成する支持体１６と、スタンド本体に形成され、上記支持体の係合部１８ｌ、１８ｒと係合して、支持体を斜め後方へ曲げた姿勢に固定する係合相手部２１ｌ、２１ｒを有する支持体固定片１９ｌ、１９ｒとを具備する。
2012164733.tif 000002
【特許請求の範囲】
【請求項１】
写真や卓上カレンダーに代表されるカード状物を飾る写真立て類において、上記カード状物を配置する飾り枠を自立させるためのスタンドであって、
飾り枠と一体化する部分を有するとともに、飾り枠に自立手段を提供するための部分を有する、一枚のシートから成るスタンド本体と、
スタンド本体自体に形成されたヒンジ部によって斜め後方へ曲げられ、上記自立手段を構成する支持体と、
スタンド本体に形成され、上記支持体の係合部と係合して、支持体を斜め後方へ曲げた姿勢に固定する係合相手部を有する支持体固定片と
を具備して構成された写真立て類に用いるスタンド。
【請求項２】
スタンド本体は少なくとも二辺が直交する角部を有し、上記角部を含む部分に自立手段を構成する支持体が形成され、上記支持体の両側に左右一対の支持体固定片が型抜きによって形成され、左右一対の支持体固定片は、支持体のヒンジ部の左右両端部において支持体から離れる方向に形成された固定片ヒンジ部にて折り曲げられるように構成された
請求項１記載の写真立て類に用いるスタンド。
【請求項３】
スタンド本体はほぼ長方形の外形を有し、その一か所の角部を含む位置に自立手段を構成する支持体が形成され、上記角部を構成する二辺のどちらか一方を支持片に選択することで、長方形の縦横に応じた縦置き又は横置きのための自立手段を構成する
請求項１記載の写真立て類に用いるスタンド。
【請求項４】
左右一対の支持体固定片は、支持体の背面に接する直線部と、その外方を囲む曲線部とによって、ザリガニ、カニ類のハサミに似た形状に形作られており、かつ、左右の支持体固定片で長さが異なり、長い方の支持体固定片が、縦置き時に下に位置する構成を有する
請求項３記載の写真立て類に用いるスタンド。
【請求項５】
支持体の係合部は段差を有するスリット孔から成り、スリット孔は段差の一方が他方よりも長く形成され、支持体固定片は段差の一方の長い方からスリット孔に挿入されるとともに、他方の短い方と係合するカギ型の係合相手部を有しており、さらに、支持体固定片は固定片ヒンジ部における折り曲げの反力で上記他方の短い方に付勢されることで抜け止めがなされる
請求項１記載の写真立て類に用いるスタンド。
【発明の詳細な説明】
【技術分野】
【０００１】
本発明は、写真や卓上カレンダーに代表されるカード状物を飾る写真立て類に用いて、上記カード状物を配置する飾り枠を自立させるためのスタンドに関するものである。
【背景技術】
【０００２】
写真立てや卓上カレンダーなどの多くは、自立させるための支持体を備えたスタンド式の構造を有している。しかし、多くのものは立てる方向が決まっており、縦向き横向きに兼用可能なものは少数である。特に、紙製の写真立て類で縦横兼用のものは足（支持体）が弱い傾向があり、また、台紙の打ち抜きで支持体を形成した場合、打ち抜かれた部分を透過した光によって写真等の裏面の模様が透けて見えたり、写真等に陰影が映ったりするという不都合を生じることがある。この点を防止するには、遮光用のシートを台紙の背面に重ねる必要がある。
これに対して、実用新案登録第３０８９４１９号はカード類に対するスタンド部品を開示しているが、そこに記載されているスタンド部品はスタンド専用部品であり、使用するにはカード類の背面に接着する必要がある。なお、このスタンド部品は縦置きと横置きを兼用できない例である。また、実用新案登録第３１１９６９９号は１枚の紙で作る縦横自由に使える簡易スタンドに関するものであるが、これの支持体は打ち抜かれた部分を有するので、前記した裏面の模様が透けるような不都合を生じることになる。
写真立てに関する他の問題は、支持体とそれを固定する固定片が別々の板紙を組み合わせたものから成っている場合にあらわれる。この２枚構造では、当然のことながら、材料の無駄が多いという問題を生じる。また、支持体を小さ目に、特に細長く形成したものが見られるが、そうした構造では、固定片で支えられた部分で折れやすく、一旦折れてしまうと修復できないという問題がある。前記裏面の模様が透けて見えるのを防止するために遮光用のシートを重ねる必要性を考慮すると、スタンドに用いる台紙の枚数は少ないほど好ましく、２枚構造のものは避けるべきである。
【発明の開示】
【発明が解決しようとする課題】
【０００３】
本発明は前記の点に着目してなされたもので、その課題は、一枚のシートを用いて形成することができ、完成したスタンドの形を長期間維持できる合理的、かつ、完成度のより高い写真立て類に用いるスタンドを提供することである。また、本発明の他の課題は、組み立てが容易で、加工の手間が掛からず、一枚のシートから成ることにより材料費が抑えられるとともに、縦横に立て方を変えられる写真立て類に用いるスタンドを提供することである。
【課題を解決するための手段】
【０００４】
前記の課題を解決するため、本発明は写真や卓上カレンダーに代表されるカード状物を飾る写真立て類において、上記カード状物を配置する飾り枠を自立させるためのスタンドについて、飾り枠と一体化する部分を有するとともに、飾り枠に自立手段を提供するための部分を有する、一枚のシートから成るスタンド本体と、スタンド本体自体に形成されたヒンジ部によって斜め後方へ曲げられ、上記自立手段を構成する支持体と、スタンド本体に形成され、上記支持体の係合部と係合して、支持体を斜め後方へ曲げた姿勢に固定する係合相手部を有する支持体固定片とを具備して構成するという手段を講じたものである。
本発明の対象とする写真立て類は、写真立てや卓上カレンダー、グリーティングカード等のカード状物を飾るためのもので、上記のカード状物と一体となって、これらのものを安定に立てておくスタンドに関するものである。このため、スタンド本体は一枚のシートから成ることを一つの特徴とし、かつ、飾り枠と一体化する部分を有し、また、飾り枠に自立手段を提供するための部分を有する。スタンド本体は、一枚のシートを打ち抜いたブランクの形態を取り、シートの材質として主材料に想定しているものは厚紙である。しかし、合成紙ないしはプラスチックシート等も使用することができる。
そのスタンド本体には、自立手段として、シートの型抜きによって形成される支持体が設けられ、スタンド本体とつながったヒンジ部にて斜め後方へ曲げられる。支持体はスタンド本体から切り離されずヒンジ部にてつながっており、ヒンジ部を中心にして斜め後方へ曲げることで、飾り枠を自立させる体勢になる。ヒンジ部で曲げた支持体は、支持体固定片によって一定の状態に固定される。
上記支持体固定片は、スタンド本体に形成され、支持体の係合部と係合して、支持体を斜め後方へ曲げた姿勢に固定する係合相手部を有している。斜め後方へ曲げられた支持体を、支持体固定片を用いて一定の位置に固定するものであるから、その機能からすれば、一個でも一応の機能を果たし得る。しかし、強度上又は安定性の面から一個では不足であると考えられる場合、複数個設けることができる。
従って、スタンド本体は少なくとも二辺が直交する角部を有し、上記角部を含む位置に自立手段を構成する支持体が形成され、上記支持体の両側に左右一対の支持体固定片が型抜きによって形成され、左右一対の支持体固定片は、支持体のヒンジ部の左右両端部において支持体から離れる方向に形成された固定片ヒンジ部にて折り曲げられるように構成されていることが望ましい。その結果、左右一対の支持体固定片はほぼ平行の配置を取り、支持体をより安定に固定できることになる。
また、スタンド本体はほぼ長方形の外形を有し、その一か所の角部を含む位置に自立手段を構成する支持体が形成され、上記角部を構成する二辺のどちらか一方を支持片に選択することで、長方形の縦横に応じた縦置き又は横置きのための自立手段とすることも望ましい構成である。これによって、縦横に立て方を自由に変えることができ、かつ、縦置き横置きのどちらの体勢でも安定する。
上記左右一対の支持体固定片は、支持体の背面に接する直線部と、その外方を囲む曲線部とによって、ザリガニ、カニ類のハサミに似た形状に形作られており、かつ、左右の支持体固定片で長さが異なり、長い方の支持体固定片が、縦置き時に下に位置する構成を有するものとする。ザリガニ、カニ類のハサミに似た形状は、技術的意義というよりも本発明を形態的に特徴付ける意義がある。支持体固定片の長さは自由に決められることであるが、長い方の支持体固定片が、縦置き時に下に位置する構成によって、重心が低くなるのでより安定性を高められる。
支持体の固定部は段差を有するスリット孔から成るものとし、スリット孔は段差の一方が他方よりも長く形成され、支持体固定片は段差の一方の長い方からスリット孔に挿入されるとともに、他方の短い方と係合するカギ型の係合相手部を有しており、さらに、支持体固定片は固定片ヒンジ部に用いる折り曲げの反力で上記他方の短い方に付勢され、抜け止めがなされるという構成を取ることができる。
本発明は以上のように構成されかつ作用するものであるから、一枚のシートを用いて形成することができ、完成したスタンドの形を長期間維持できる合理的、かつ、完成度のより高い写真立て類に用いるスタンドを提供することができるという効果を奏する。また、本発明によれば、組み立てが容易で、加工の手間が掛からず、一枚のシートから成ることにより材料費が抑えられるとともに、縦横に立て方を変えられる写真立て類に用いるスタンドを提供することができる。
【図面の簡単な説明】
【０００５】
図１は本発明に係る写真立て類に用いるスタンドの例１を示す斜視図である。
図２は同上の写真立て類に用いるスタンドの例１を示す平面図である。
図３は同じく例１のスタンドを組み立てた状態を示す背面側の斜視図である。
図４は同じく例１のスタンドを組み立てた状態を示す正面側の斜視図である。
図５は同じく本発明に係るスタンドの例２を示す平面図である。
図６は同じく本発明に係るスタンドの例３を示す平面図である。
図７は同じく本発明に係るスタンドの例４を示す平面図である。
【発明を実施するための最良の形態】
【０００６】
以下、図示の実施形態を参照して本発明をより詳細に説明する。図１は、本発明に係る写真立て類１０に用いるスタンド１５の例１を示す表側の斜視図であり、１１は写真や卓上カレンダーに代表されるカード状物をおさめて使用するための、正面形状が長方形状に形成された飾り枠である。飾り枠１１は、正面に窓状の開口を形成した額縁部１２ａを有する正面板１２と、内部に写真等のカード状物を挿入するための収納スペース１３ａを形成する中板１３と、その背後に位置してからカード状物を受け止める背面板１４とから成り、図２に示す例１に用いる中板１３は、縦置き時に挿入口１３ｂが上に位置するほぼＵ字型に形成されている。
本発明のスタンド１５は、一枚のシートから成るスタンド本体によって構成され、スタンド本体は飾り枠１１と一体化する部分１５ａを有するとともに、飾り枠１１に自立手段を提供するための部分１５ｂを有している（図２参照）。上記スタンド本体は飾り枠１１と同様に上質の厚紙から成り、正面板１２と同形の長方形状の、一枚のシートを打ち抜いたブランクの形態のものである。図示の例１に用いるスタンド１５は、上記飾り枠１１と一体化する部分１５ａにおいて、後述する支持体１６を除いた範囲で背面板１４の背面に接着され、残りの部分１５ｂは接着されない。
スタンド本体の自立手段として上記の支持体１６を構成する部分１５ｂは、背面板１４に接着されない。図示の例１においては、自立手段を提供するための部分１５ｂの内から、支持体固定片１９等を除いた部分が支持体１６を構成している。スタンド本体は二辺が直交する角部ｃを有し、上記角部ｃを挟む二辺１６ａ、１６ｂが自立手段を構成する支持体１６を形成し、二辺の内の一辺１６ａは縦置き時の支持辺となり、二辺の内の他片１６ｂは横置き時の支持辺となる。支持体１６は、スタンド本体から切り離されずヒンジ部１７にてつながっており、ヒンジ部１７を中心にして斜め後方へ曲げることで、飾り枠１１を自立させる体勢になる。
上記スタンド本体には、左右一対の支持体固定片１９ｌ、１９ｒが型抜きによって形成されている。図示の上記支持体固定片１９ｌ、１９ｒは、支持体１６の両側に沿って形成された左右一対のものから成り、支持体１６のヒンジ部１７の左右両端部において支持体から離れる方向（スタンド本体の対角線において角部ｃとは反対側の角部の方向）に形成された、固定片ヒンジ部２０ｌ、２０ｒにて折り曲げられる。また、支持体１６には係合部１８ｌ、１８ｒが形成され、これらの係合部１８ｌ、１８ｒと係合して、支持体１６を斜め後方へ曲げた姿勢に固定する係合相手部２１ｌ、２１ｒが支持体固定片１９ｌ、１９ｒに設けられている。上記の左右一対の支持体固定片１９ｌ、１９ｒは、支持体１６の背面に接する直線部Ｉと、その外方を囲む曲線部Ｊとによって、ザリガニ、カニ類のハサミに似た形状を形作り形態上の一つの特徴をなしている。
上記の支持体１６の係合部１８ｌ、１８ｒは、段差を有するスリット孔から成り、スリット孔は、段差の外方が内方よりも短く形成され、支持体固定片１９ｌ、１９ｒは、段差の一方の長い方から係合部１８ｌ、１８ｒのスリット孔に挿入されるとともに、短い方と係合するカギ型の係合相手部２１ｌ、２１ｒを有している。さらに、上記係合部１８ｌ、１８ｒのスリット孔は、短い方の辺部１８ｓ、１８ｔがほぼ平行、かつ、固定片ヒンジ部２０ｌ、２０ｒの延長線上に位置しており、支持体固定片１９ｌ、１９ｒは、固定片ヒンジ部２０ｌ、２０ｒに用いる折り曲げの反力で上記他方の短い方の辺部１８ｓ、１８ｔに向けて付勢される構成になっている。
このような構成を有する例１の写真立て類１０に用いるスタンド１５では、支持体１６を、ヒンジ部１７において斜め後方へ折り曲げ、かつまた、要所に形成した組立用打ち抜き部２２を利用して左右一対の支持体固定片１９ｌ、１９ｒを写真立て類１０の後側となる方へ引き起こすようにして組み立てる（図３参照）。次いで、斜め後方へ折り曲げた支持体１６の左右の係合部１８ｌ、１８ｒに、左右のカギ型の係合相手部２１ｌ、２１ｒをそれぞれ挿入する。挿入されている係合相手部２１ｌ、２１ｒには、固定片ヒンジ部２０ｌ、２０ｒにおける折り曲げの反力による外方への付勢力が働いているため、上記他方の短い方の辺部１８ｓ、１８ｔに押し付けられ、これによる抜け止めと位置決めが自動的になされる（図４参照）。
次に、図５を参照して本発明に係る写真立て類に用いるスタンドの実施形態の例２を説明する。例２のスタンド２５において、スタンド本体は飾り枠１１と一体化する部分２５ａを有するとともに、飾り枠１１に自立手段を提供するための部分２５ｂを有しており、左右一対の支持体固定片２３ｌ、２３ｒは、例１と同様に支持体１６の背面に接する直線部１と、その外方を囲む曲線部Ｊとによって、ザリガニ、カニ類のハサミに似た形状に形作られている。しかし、例２では、左右の支持体固定片２３ｌ、２３ｒの長さが異なり、長い方の支持体固定片２３ｌが、縦置き時に下に位置するという構成を取る。例２では、ヒンジ部２４が、例１のそれと比較して著しく短く設定されている。他の構成については例１と同様であるので、同じ符号を援用し詳細な説明は繰り返さない。
例２の写真立て類に用いるスタンドの場合、長い方の支持体固定片２３ｌが、縦置き時に下に位置する構成にしたので、支持体固定片２３ｌの荷重によりスタンド全体における重心位置が下がり、特に不安定化し易い縦置き時の安定性向上に効果がある。その反面、横置き時には短い方の支持体固定片２３ｒが下に位置することになるが、横置き時の重心は低いので、元々不安定の問題は少なく、安定性の問題は無視し得る。なお、例２において、ヒンジ部２４を短く設定したことにより、必要な強度を保持して支持体１６の曲げやすさを高めることができた。また、ザリガニ、カニ類のハサミに似た形状に形作られている、左右一対の支持体固定片２３ｌ、２３ｒの長さ（大きさ）が異なるので、アンバランスな外観となり形態上の面白さが増す。
次に、図６を参照して本発明に係る写真立て類に用いるスタンドの実施形態の例３を説明する。例３のスタンド２６は、図２等に示した例１と同様に大きさのほぼ等しい左右一対の支持体固定片１９ｌ、１９ｒを有する例であり、特に、ヒンジ部２７を支持体固定片１９ｌ、１９ｒを超えて延長し、支持体２８を大型に形成したものである。他の構成については例１、例２と同様であるので、同じ符号を援用し詳細な説明は繰り返さない。
例３のものは支持体２８が大きく、例１、例２に比べてスマートではないが、材料の無駄が出ず、かつまた、安定性は非常に良好である。例３の場合はスタンド本体を正方形としており、この場合、縦横の姿勢変化を生じないことになる。しかし、本発明に係る写真立て類に用いるスタンドを、長方形以外の形態に形成できることも自明であるので、その一つの例として図６を示したものである。スタンド本体の形態はこれらの例に限る訳ではなく、さらに、その他の定形又は不定形の形態を選択することが可能である。
さらに、図７を参照して本発明に係る写真立て類に用いるスタンドの実施形態の例４を説明する。例４はスタンドを一体に有する写真立て類の例であり、例２と同様に形成された、飾り枠としての正面板３４と一体化する部分２５ａと、支持体１６を有する部分２５ｂとを有している。また、ザリガニ、カニ類のハサミに似た形状に形作られている、左右一対の支持体固定片２３ｌ、２３ｒを設けたスタンド３０と、長方形状のスタンド３０の一辺に折り曲げ部３１を介して連続形成した、スタンド３０とほぼ同形、同大の大きさを有し、かつ、カード状物の下台紙となる背面板３２と、カード状物を挿入するための収納スペースを形成するために、背面板３２の３辺にほぼＵ字形に設けた、糊代を兼ねるスペーサー３３とから構成されている。
このように構成されている本発明の例４によれば、スタンド３０の部分２５ａを飾り枠１１に接着し、３辺のスペーサー３３を、スタンド３０の接着面とは反対側に折り曲げてその面に接着し、さらに、３辺のスペーサー３３に例１の額縁部３４ａと同様の開口窓を有する正面板３４を張り合わせることで、スタンドを一体に有する写真立て類を形成することができる。従って、折り曲げ部３１の部分に、写真類の挿入口１３ｂが形成される。例４は、特にスタンドと飾り枠とを一体に構成することができるので、１枚のブランクから写真立て類が完成するという特徴がある。なお、図５の例２、図７の例４に示されている符号３５は、吊り下げ用の小孔を示しており、縦横の姿勢に応じるように３箇所の角部に形成されている。なお、ヒンジ部１７などの折り曲げ部分について、一点鎖線は谷折りの箇所、二点鎖線は山折りの箇所であることを示している。
【図１】
2012164733.tif 000003
【図２】
2012164733.tif 000004
【図３】
2012164733.tif 000005
【図４】
2012164733.tif 000006
【図５】
2012164733.tif 000007
【図６】
2012164733.tif 000008
【図７】
2012164733.tif 000009
【国際調査報告】
2012164733.tif 000010
2012164733.tif 000011